(57)【要約】  本発明は、第１差込ソケットと、第１差込ソケットに差し込み可能である第２差込ソケットと、第２差込ソケットが差し込まれた時に第２差込ソケットの溝内に突入係合する、第１差込ソケットに固定された止めばねとを備えた、差込継手に関する。本発明の本質的な態様は、止めばねは、止めばねが半径方向外方に動くことが妨げられている閉鎖位置から、止めばねが半径方向外方に動くことが許容されている閉鎖解除位置へ可動であり、第１差込ソケットに選択的に作動可能な閉鎖解除装置が配置されており、作動された閉鎖解除装置は止めばねを閉鎖解除位置に保持することである。上記差込継手を使用するための方法も規定する。これにより、適切に製造された差込ソケットが互いに接続され得ることを、可能な限り確実、単純かつ廉価に保証できる。【選択図】図１
2015521260.tif 000002
【特許請求の範囲】
【請求項１】
加圧された液体又は気体用の管を接続するための差込継手（１）であって、差込側（３）と軸方向反対側にある固定側（４）とを有する第１差込ソケット（２）と、差込側（８）と軸方向反対側にある固定側（９）とを有する第２差込ソケット（７）とを備え、第２差込ソケット（７）はその差込側（８）で第１差込ソケット（２）内にその差込側（３）を通して差し込み可能であり、更に前記第１差込ソケット（２）に固定された止めばね（１３）と備えており、前記止めばね（１３）は第１差込ソケット（２）における閉じた位置で、前記第２差込ソケット（７）が差し込まれた状態で少なくとも１個の保持セクション（１９、２０）により前記第２差込ソケット（７）の外側（１０）で円周方向に環状に延びる溝（２１）内に突入係合し、その結果として第１差込ソケット（２）に差し込まれた第２差込ソケット（７）が外れることが妨げられており、更に、前記第２差込ソケット（７）の差込側（８）と溝（２１）との間に、好ましくは溝（２１）の直前に前記止めばね（１３）の少なくとも１個の保持セクション（１９、２０）に対する円周方向に環状に延びる衝止斜面（２２）が形成されているものにおいて、前記止めばね（１３）は第１差込ソケット（２）における閉じた位置で、少なくとも１個の保持セクション（１９、２０）が第１差込ソケット（２）に対して相対的に半径方向外方に動くことがブロックされている閉鎖位置から、少なくとも１個の保持セクション（１９、２０）が半径方向外方に動くことが許容されている閉鎖解除位置へ可動であること、更に、前記第１差込ソケット（２）に選択的に作動可能な閉鎖解除装置（３３）が配置されており、作動停止された閉鎖解除装置（３３）は止めばね（１３）が閉鎖位置に位置決めされることを許容し、作動された閉鎖解除装置（３３）は止めばね（１３）を閉鎖解除位置に保持することを特徴とする、加圧された液体又は気体用の管を接続するための差込継手（１）。
【請求項２】
前記止めばね（１３）は実質的に前記第１差込ソケット（２）の外側（１２）に配置されていて、少なくとも１個の側辺部（１４、１５）を備え、前記側辺部（１４、１５）は前記止めばね（１３）が閉じた状態で、第１差込ソケット（２）の円周上の部分区域で環状に延びるスリット（１６、１７）を通して第１差込ソケット（２）の内部領域（１８）に突入して少なくとも１個の保持セクション（１９、２０）を形成しており、前記スリット（１６、１７）は両端部領域（２７、２７’、２８、２８’）に前記止めばね（１３）の少なくとも１個の側辺部（１４、１５）を受容するための、第１差込ソケット（２）の差込側（３）と反対に向けられた凹み部（２９、２９’、３０、３０’）若しくは拡張部を有しており、前記凹み部（２９、２９’、３０、３０’）は前記スリット（１６、１７）の長手方向延長の半分より短く延びていること、前記閉鎖解除装置（３３）は実質的に第１差込ソケット（２）の外側（１２）に配置されていて、前記スリット（１６、１７）の長手方向延長に沿って回転可能なリング（３４）を有しており、前記リング（３４）は前記スリット（１６、１７）の凹み部（２９、２９’、３０、３０’）の領域に第１差込ソケット（２）の固定側（４）に向って見て軸方向で深さが異なる２個のセクション（３５、３６、３５’、３６’、３７、３８、３７’、３８’）と、好ましくはそれらの間に延びている斜面（３９、３９’、４０、４０’）とを有しており、リング（３４）を回転させることにより深い方のセクション（３５、３５’、３７、３７’）が前記凹み部（２９、２９’、３０、３０’）上に可動であり、その結果として前記凹み部（２９、２９’、３０、３０’）が露出して前記閉鎖解除装置（３３）が作動停止されているか、又は深くない方のセクション（３６、３６’、３８、３８’）が前記凹み部（２９、２９’、３０、３０’）上に可動であり、その結果として前記凹み部（２９、２９’、３０、３０’）が覆われて前記閉鎖解除装置（３３）が作動していることを特徴とする、請求項１に記載の差込継手。
【請求項３】
複数のスリット（１６、１７）と、複数の対応する保持セクション（１９、２０）を有する１個の止めばね（１３）とが、特に鏡像状に配置された凹み部（２９、２９’、３０、３０’）を有する２個の向き合うスリット（１６、１７）と、２個の側辺部（１４、１５）若しくは保持セクション（１９、２０）を有する１個の止めばね（１３）とが形成されていることを特徴とする、請求項２に記載の差込継手。
【請求項４】
第１差込ソケット（２）内の各スリット（１６、１７）は、両端部領域（２７、２７’、２８、２８’）に前記スリット（１６、１７）の長手方向延長の半分より短いそれぞれ１個の凹み部（２９、２９’、３０、３０’）を有しており、回転可能なリング（３４）は１個の凹み部（２９、２９’、３０、３０’）の領域に第１差込ソケット（２）の固定側（４）に向って見て軸方向で深さが異なる２個のセクション（３５、３６、３５’、３６’、３７、３８、３７’、３８’）と、好ましくはそれらの間に延びている斜面（３９、３９’、４０、４０’）とを有することを特徴とする、請求項２又は３に記載の差込継手。
【請求項５】
前記第１差込ソケット（２）のセクション（３１、３２）は、前記第１差込ソケット（２）の固定側（４）に向って前記スリット（１６、１７）のすぐ横にあって、特に多層薄板部材によって形成されていることを特徴とする、請求項２〜４のいずれか１項に記載の差込継手。
【請求項６】
前記第２差込ソケット（７）の外側（１０）に少なくとも１個の軸方向に位置合わせされた突起部（４１、４２）が形成されており、前記突起部（４１、４２）は第２差込ソケット（７）を第１差込ソケット（２）に差し込んだ状態で閉鎖解除装置（３３）が作動されたときは、少なくとも１個の、第１差込ソケット（２）の差込側（３）に端面開口部（４９、５０）を有する軸方向に位置合わせされた対応する溝（４７、４８）内に挿入可能であり、更に、少なくとも１個の突起部（４１、４２）を少なくとも１個の溝（４７、４８）内に挿入することが作動停止された閉鎖解除装置（３３）によってブロックされていることを特徴とする、請求項１〜５のいずれか１項に記載の差込継手。
【請求項７】
前記閉鎖解除装置（３３）は実質的に前記第１差込ソケット（２）の外側（１２）に配置されていて、前記第１差込ソケット（２）の外周に沿って回転可能なリング（３４）を備え、前記リング（３４）は、前記閉鎖解除装置（３３）が作動されたときは前記第１差込ソケット（２）内の第２溝セクション（４５、４６）と半径方向で同列になるように位置合わせされた第１溝セクション（４３、４４）を有しており、前記第１溝セクション（４３、４４）は、前記リング（３４）の回動により前記閉鎖解除装置（３３）が作動停止されたときは前記第１差込ソケット（２）の外周に沿って前記第２溝セクション（４５、４６）から離間して位置決めされていることを特徴とする、請求項６に記載の差込継手。
【請求項８】
前記閉鎖解除装置（３３）の保持突起（５１）は、前記閉鎖解除装置（３３）が作動停止されたときは第１保持溝（５２）内に突入係合し、前記閉鎖解除装置（３３）が作動されたときは第２保持溝（５３）内に突入係合すること、更に、前記保持突起（５１）は特に機械的な力を加えることによって各保持溝（５２、５３）から脱出可能であり、前記閉鎖解除装置（３３）と共にそれぞれ別の保持溝（５３、５２）に移動可能であることを特徴とする、請求項１〜７のいずれか１項に記載の差込継手。
【請求項９】
前記止めばね（１３）は第１差込ソケット（２）における閉じた位置から第１差込ソケット（２）における開いた位置に可動であり、この開いた位置で前記止めばね（１３）の少なくとも１個の保持セクション（１９、２０）は差し込まれた第２差込ソケット（７）の外側（１０）に設けた溝（２１）の外部に配置されていることを特徴とする、請求項１〜８のいずれか１項に記載の差込継手。
【請求項１０】
請求項２〜５のいずれか１項に記載の差込継手（１）を使用するための方法において、各々の第１差込ソケット（２）を使用する前に、場合によっては前記止めばね（１３）が閉じられて前記閉鎖解除装置（３３）が作動停止され、そうすることによって前記止めばね（１３）を閉鎖位置に位置決めすることが可能となり、第２差込ソケット（７）を差し込もうとするときは前記止めばね（１３）が既に閉鎖位置に位置決めされているか、又は第２差込ソケット（７）の衝止斜面（２２）により閉鎖位置に動かされ、その結果として前記止めばね（１３）の少なくとも１個の保持セクション（１９、２０）が前記第１差込ソケット（２）に対して相対的に半径方向外方に動くことがブロックされて、前記第２差込ソケット（７）を前記第１差込ソケット（２）に完全に差し込むことが不可能にされること、更に、固定装置を用いて管を前記第１差込ソケット（２）の固定側（４）に首尾よく固定する間又は固定直後に前記止めばね（１３）の閉鎖解除装置（３３）が作動され、それによって前記止めばね（１３）が閉鎖解除位置に動かされ若しくはそこに保持され、前記第２差込ソケット（７）を差し込もうとするときは前記止めばね（１３）の少なくとも１個の保持セクション（１９、２０）が前記第２差込ソケット（７）の衝止斜面（２２）によって前記第１差込ソケット（２）に対して相対的に半径方向外方に動かされて、前記第２差込ソケット（７）が完全に前記第１差込ソケット（２）に差し込まれ、それに続いて前記第２差込ソケット（７）の溝（２１）内に突入係合できる少なくとも１個の保持セクション（１９、２０）によって拘束されることを特徴とする、請求項２〜５のいずれか１項に記載の差込継手（１）を使用するための方法。
【請求項１１】
請求項２〜５のいずれか１項に記載の差込継手（１）を使用するための方法において、各々の第１差込ソケット（２）を使用する前に、場合によっては前記止めばね（１３）が閉じられて前記閉鎖解除装置（３３）が作動停止されるようにするために、前記第１差込ソケット（２）の外側（１２）に設けたリング（３４）を回転させることによりリング（３４）のそれぞれ深い方のセクション（３５、３５’、３７、３７’）が前記第１差込ソケット（２）のスリット（１６、１７）の各凹み部（２９、２９’、３０、３０’）上に動かされ、それによって少なくとも１個の凹み部（２９、２９’、３０、３０’）が露出され、前記止めばね（１３）の少なくとも１個の側辺部（１４、１５）を少なくとも１個の凹み部（２９、２９’、３０、３０’）に位置決めすることが可能となり、前記第２差込ソケット（７）を差し込もうとするときは少なくとも１個の側辺部（１４、１５）が既に少なくとも１個の凹み部（２９、２９’、３０、３０’）に位置決めされているか、又は前記第２差込ソケット（７）の衝止斜面（２２）により少なくとも１個の凹み部（２９、２９’、３０、３０’）内に動かされ、その結果として少なくとも１個の側辺部（１４、１５）が前記第１差込ソケット（２）に対して相対的に半径方向外方に動くことをブロックされて、前記第２差込ソケット（７）を前記第１差込ソケット（２）に完全に差し込むことが不可能にされること、更に、固定装置を用いて管を前記第１差込ソケット（２）の固定側（４）に首尾よく固定する間又は固定直後に前記止めばね（１３）の閉鎖解除装置（３３）を作動させるために、リング（３４）を回転させることによりリング（３４）のそれぞれ深くない方のセクション（３６、３６’、３８、３８’）がスリット（１６、１７）の各凹み部（２９、２９’、３０、３０’）上に動かされ、それによって少なくとも１個の凹み部（２９、２９’、３０、３０’）が覆われて、少なくとも１個の側辺部（１４、１５）が好ましくは深い方のセクション（３５、３５’、３７、３７’）と深くない方のセクション（３６、３６’、３８、３８’）との間に延びている斜面（３９、３９’、４０、４０’）に沿って少なくとも１個の凹み部（２９、２９’、３０、３０’）から脱出し、又は少なくとも１個の側辺部（１４、１５）が少なくとも１個の凹み部（２９、２９’、３０、３０’）の外部に保持され、前記第２差込ソケット（７）を差し込もうとするときは少なくとも１個の側辺部（１４、１５）が前記第２差込ソケット（７）の衝止斜面（２２）により前記第１差込ソケット（２）に対して相対的に半径方向外方に動かされて、前記第２差込ソケット（７）が完全に前記第１差込ソケット（２）に差し込まれ、それに続いて前記第２差込ソケット（７）の溝（２１）内に突入係合できる少なくとも１個の側辺部（１４、１５）によって拘束されることを特徴とする、請求項２〜５のいずれか１項に記載の差込継手（１）を使用するための方法。
【請求項１２】
管を前記第１差込ソケット（２）の固定側（４）に首尾よく固定する間又は固定直後に前記閉鎖解除装置（３３）の作動が管の固定装置によって行われることを特徴とする、請求項１０又は１１に記載の方法。
【発明の詳細な説明】
【技術分野】
【０００１】
本発明は、加圧された液体又は気体用の管を接続するための差込継手であって、差込側と軸方向反対側にある固定側とを有する第１差込ソケットと、差込側と軸方向反対側にある固定側とを有する第２差込ソケットとを備え、第２差込ソケットはその差込側で第１差込ソケット内にその差込側を通して差し込み可能であり、更に第１差込ソケットに固定若しくは配置された止めばねとを備え、この止めばねは第１差込ソケットにおける閉じた位置若しくは作動位置で、第２差込ソケットが差し込まれた状態で少なくとも１個の保持セクションにより第２差込ソケットの外側で円周方向に環状に延びる溝内に突入係合し、その結果として第１差込ソケットに差し込まれた第２差込ソケットが外れることが妨げられており、更に第２差込ソケットの差込側と溝との間に、好ましくは溝の直前に止めばねの少なくとも１個の保持セクションに対する円周方向に環状に延びる衝止斜面が形成されているものに関する。更に、そのような差込継手を使用するための方法を提示する。
【０００２】
これに関連して注記しておくと、本明細書において「差込継手の使用」は差込継手の製造後に差込継手をその都度利用することが意味されており、従って特に差込継手の接合、若しくは差込継手の第１差込ソケット及び第２差込ソケットの固定側と、差込継手を介して接続される管との接合がそのような使用を成している。
【背景技術】
【０００３】
ある特許文献によれば、止めばねを有する第１差込ソケットと、この止めばねに対応して円周方向に環状に延びる溝を有して第１差込ソケットに差し込み可能な第２差込ソケットとを備えた差込継手、及びそのような差込継手を使用するための方法が知られており、第１差込ソケットの差込領域にある取外し可能な封鎖体若しくは充填部材により第２差込ソケットが第１差込ソケットに完全に差し込まれるのを妨げられることができる（例えば、特許文献１及び２参照。）。特許文献１には、更に、閉鎖体があらかじめ第１差込ソケットの差込領域に取り付けられること、及びこの封鎖体は第１差込ソケットが管の端部に首尾よく固定されて初めて固定装置によって取り外されることが記載されている。
【０００４】
しかしながらこれらの差込継手システムでは、特に比較的軟らかい閉鎖体若しくは充填部材及び／又は例えばプラスチック製の第２差込ソケットとの関連で、とりわけ強い力で差し込もうとすると閉鎖体若しくは充填部材が存在しても第２差込ソケットが第１差込ソケットに完全に差し込まれるのを妨げることが保証されていない。このような誤機能は、第１差込ソケットに対してそれぞれ唯一の閉鎖体若しくは充填部材しか設けられていないことによっても助長される。
【０００５】
更に第１差込ソケットに閉鎖体若しくは充填部材を別個に用意して取り付けることが必要であり、閉鎖体若しくは充填部材が第１差込ソケットからひとりでに若しくは意図せずに外れることを可能な限り防がなければならない。その上、閉鎖体若しくは充填部材を取り付けて後から取り外すことは、第１差込ソケットの製造装置及び固定装置の広範で煩雑な改造を必要とする。
【先行技術文献】
【特許文献】
【０００６】
【特許文献１】国際公開第２０１１／１０６８０５号
【特許文献２】独国特許出願公開第１０２００８０２７２０４号明細書
【発明の概要】
【発明が解決しようとする課題】
【０００７】
本発明の課題は、適切に製造された差込継手の差込ソケットが互いに接続され得ることを、可能な限り確実、単純及び廉価に保証できる差込継手及びそのような差込継手を使用するための方法を提供することである。
【課題を解決するための手段】
【０００８】
本発明の上記の課題は、冒頭に記載した種類の差込継手で、止めばね第１差込ソケットにおける閉じた位置で、少なくとも１個の保持セクションが第１差込ソケットに対して相対的に半径方向外方に動くことがブロックされるように固定されている閉鎖位置から、少なくとも１個の保持セクションが半径方向外方に動くことが許容されている閉鎖解除位置へ可動であり、更に、第１差込ソケットに選択的に作動可能な閉鎖解除装置が配置されており、作動停止された閉鎖解除装置は止めばねが閉鎖位置に位置決めされることを許容し、作動された閉鎖解除装置は止めばねを閉鎖解除位置に保持する差込継手によって解決される。このようにすることにより、適切に製造されない差込ソケットの接続を簡単且つ確実に妨げることができる差込継手が提供される。なぜならそのような場合には止めばねに対する閉鎖解除装置は作動停止されたままであり、止めばねの少なくとも１個の保持セクションが半径方向外方に動くことをブロックすることにより、第２差込ソケットが第１差込ソケットに差し込まれることが確実に妨げられているからである。これにより特に固定過程において固定側で管とまだ接続されていないか、若しくは十分に圧縮されなかった第１差込ソケットが第２差込ソケットと接続され得ることを非常に容易に妨げることができる。なぜなら止めばねの閉鎖解除装置は首尾よい固定過程の間か若しくは直後に作動されるからであり、その結果として止めばねの少なくとも１個の保持セクションが半径方向外方に動くことが許容されている。差込継手のそのような構成により、追加のコンポーネントが必要とされないために製造において追加コストが生じないことも特に有利である。
【０００９】
この関連において、止めばねが実質的に第１差込ソケットの外側に配置されていて、少なくとも１個の側辺部を備え、この側辺部若しくは少なくともその一部は止めばねが閉じた状態で、第１差込ソケットの円周上の部分区域で環状に延びるスリットを通して第１差込ソケットの内部領域に突入して少なくとも１個の保持セクションを形成しており、このスリットは両端部領域に止めばねの少なくとも１個の側辺部を受容するための、第１差込ソケットの差込側と反対に向けられた凹み部若しくは拡張部を有しており、この凹み部はスリットの長手方向延長の半分より短く延びており、閉鎖解除装置が実質的に第１差込ソケットの外側に配置されていて、スリットの長手方向延長に沿って回転可能なリングを有しており、このリングはスリットの凹み部の領域に第１差込ソケットの固定側に向って見て軸方向で深さが異なる２個のセクションと、好ましくはそれらの間に延びている斜面とを有しており、リングを回転させることにより深い方のセクションが凹み部上に可動であり、その結果としてこの凹み部が露出して閉鎖解除装置が作動停止されているか、又は深くない方のセクションが凹み部上に可動であり、その結果としてこの凹み部が覆われて閉鎖解除装置が作動していると非常に好都合である。このようにすることにより、状況に応じて第２差込ソケットを第１差込ソケットに差し込むことを妨げ、若しくは可能にすることができる非常に単純で廉価な差込継手が提供される。この場合、一方では止めばねの少なくとも１個の側辺部をスリットの凹み部に位置決めすることにより閉鎖解除装置が作動停止されたときは、止めばねの保持セクションが半径方向外方に動くことが確実に妨げられ若しくは阻まれ、他方ではスリットの凹み部を覆うことにより閉鎖解除装置が作動されたときは、若しくは止めばねの少なくとも１個の側辺部がスリットの凹み部から脱出しているときは、止めばねの保持セクションが半径方向外方に動くことが確実に可能にされる。
【００１０】
この場合、複数のスリットと、複数の対応する保持セクションを有する１個の止めばねとが、特に鏡像状に配置された凹み部を有する２個の向き合うスリットと、２個の側辺部若しくは保持セクションを有する１個の止めばねとが形成されていると有利である。このように保持セクションを多辺、特に２辺で形成することにより、止めばねが閉鎖された状態で第２差込ソケットを第１差込ソケットに差し込むことが確実に妨げられている、特に堅牢でありながら単純で廉価な差込継手が提供される。
【００１１】
また、第１差込ソケット内の各スリットは、両端部領域にスリットの長手方向延長の半分より短いそれぞれ１個の凹み部を有しており、回転可能なリングは凹み部の領域に第１差込ソケットの固定側に向って見て軸方向で深さが異なるそれぞれ２個のセクションと、好ましくはそれらの間に延びている斜面とを有すると好都合である。このようにすると閉鎖解除装置の作動停止時には半径方向外方に動かないように、止めばねの特に確実な閉鎖若しくはロックが確保されている。
【００１２】
また、第１差込ソケットの固定側に向ってスリットのすぐ横にある第１差込ソケットのセクションは、特に多層薄板部材によって形成されていると特に好都合である。このようにすると、機能安定性が非常に高い差込継手が提供される。なぜなら、閉鎖解除装置の作動停止時には止めばねの少なくとも１個の側辺部が半径方向外方に動くことを阻止する第１差込ソケットのセクションは、特に堅牢に形成されている。差込継手のこの高い機能安定性若しくは堅牢性は、特に止めばねも好ましくは同様に金属で作製されていることによって助長される。
【００１３】
第２差込ソケットの外側に少なくとも１個の軸方向に位置合わせされた突起部が形成されており、この突起部は第２差込ソケットを第１差込ソケットに差し込んだ状態で閉鎖解除装置が作動されたときは、少なくとも１個の、第１差込ソケットの差込側に端面開口部を有する軸方向に位置合わせされた対応する溝内に挿入可能であり、更に、少なくとも１個の突起部を少なくとも１個の溝内に挿入することが作動停止された閉鎖解除装置によってブロックされていると有利である。このようにすると閉鎖解除装置が作動停止されたときに差込継手の確実なロックが助長され、その結果として第２差込ソケットを第１差込ソケットに差し込むことが妨げられている。
【００１４】
閉鎖解除装置は実質的に第１差込ソケットの外側に配置されていて、第１差込ソケットの外周に沿って回転可能なリングを備えており、このリングは閉鎖解除装置が作動されたときは第１差込ソケット内の第２溝セクションと半径方向で同列になるように位置合わせされた第１溝セクションを有しており、この第１溝セクションは、リングの回動により閉鎖解除装置が作動停止されたときは第１差込ソケットの外周に沿って第２溝セクションから離間して位置決めされていると有利である。このようにすると、追加のコンポーネントを必要としない、特に単純且つ廉価な別のロック機構が提供される。
【００１５】
また、閉鎖解除装置の保持突起は、閉鎖解除装置が作動停止されたときは第１保持溝内に突入係合し、閉鎖解除装置が作動されたときは第２保持溝内に突入係合し、更に、保持突起は特に機械的な力を加えることによって各保持溝から脱出可能であり、閉鎖解除装置と共にそれぞれ別の保持溝に移動可能であると有利である。このようにすると、閉鎖解除装置がひとりでに若しくは意図せずに作動停止された位置から作動された位置に若しくは逆方向に動かないことが保証される。
【００１６】
更に、止めばねは第１差込ソケットにおける閉じた位置若しくは作動位置から第１差込ソケットにおける開いた位置若しくは非作動位置に可動であり、開いた位置で止めばねの少なくとも１個の保持セクションは差し込まれた第２差込ソケットの外側に設けた溝の外部に配置されていると有利である。このようにすると、第１差込ソケットと第２差込ソケットを分離することが非常に迅速且つ容易に、特に追加工具を用いることなく可能である差込継手が提供される。
【００１７】
本発明の第２に挙げた課題は、冒頭に記載した種類の差込継手を使用するための方法によって解決される。即ち、各々の第１差込ソケットを使用する前に、場合によっては止めばねが閉じられて閉鎖解除装置が作動停止され、そうすることによって止めばねを閉鎖位置に位置決めすることが可能となり、第２差込ソケットを差し込もうとするときは止めばねが既に閉鎖位置に位置決めされているか、又は第２差込ソケットの衝止斜面により閉鎖位置に動かされ、その結果として止めばねの少なくとも１個の保持セクションが第１差込ソケットに対して相対的に半径方向外方に動くことがブロックされて、第２差込ソケットを第１差込ソケットに完全に差し込むことが不可能にされ、更に、この方法において固定装置を用いて管を第１差込ソケットの固定側に首尾よく固定する間又は固定直後に止めばねの閉鎖解除装置が作動され、それによって止めばねが閉鎖解除位置に動かされ若しくはそこに保持され、第２差込ソケットを差し込もうとするときは止めばねの少なくとも１個の保持セクションが第２差込ソケットの衝止斜面によって第１差込ソケットに対して相対的に半径方向外方に動かされて、第２差込ソケットが完全に第１差込ソケットに差し込まれ、それに続いて第２差込ソケットの溝内に突入係合できる少なくとも１個の保持セクションによって拘束される。このようにすることにより不十分に製造された差込ソケットが閉じた差込ソケットと接合され得ることが単純且つ確実に妨げられる。なぜなら固定装置を用いて第１差込ソケットの固定側に管を首尾よく固定する間若しくは固定直後に止めばねの閉鎖解除装置が作動されて、第２差込ソケットを第１差込ソケットに差し込むことが可能にされる。また、このようなやり方により僅かな追加コストしか発生しない。なぜならこの場合は固定装置を用いて管を第１差込ソケットの固定側に固定するプロセスに対して煩雑な防護措置は必要なく、防護措置を標準プロセスに組み込むことが可能だからである。
【００１８】
各々の第１差込ソケットを使用する前に、場合によっては止めばねが閉じられて閉鎖解除装置が作動停止されるようにするために、第１差込ソケットの外側に設けたリングを回転させることによりリングのそれぞれ深い方のセクションが第１差込ソケットのスリットの各凹み部上に動かされ、それによって少なくとも１個の凹み部が露出され、止めばねの少なくとも１個の側辺部を少なくとも１個の凹み部に位置決めすることが可能となり、第２差込ソケットを差し込もうとするときは少なくとも１個の側辺部が既に少なくとも１個の凹み部に位置決めされているか、又は第２差込ソケットの衝止斜面により少なくとも１個の凹み部内に動かされ、その結果として少なくとも１個の側辺部が第１差込ソケットに対して相対的に半径方向外方に動くことをブロックされて、第２差込ソケットを第１差込ソケットに完全に差し込むことが不可能にされ、更に、固定装置を用いて管を第１差込ソケットの固定側に首尾よく固定する間又は固定直後に止めばねの閉鎖解除装置を作動させるために、リングを回転させることによりリングのそれぞれ深くない方のセクションがスリットの各凹み部上に動かされ、それによって少なくとも１個の凹み部が覆われて、少なくとも１個の側辺部が好ましくは深い方のセクションと深くない方のセクションとの間に延びている斜面に沿って少なくとも１個の凹み部から脱出し、又は少なくとも１個の側辺部が少なくとも１個の凹み部の外部に保持され、第２差込ソケットを差し込もうとするときは少なくとも１個の側辺部が第２差込ソケットの衝止斜面により第１差込ソケットに対して相対的に半径方向外方に動かされて、第２差込ソケットが完全に第１差込ソケットに差し込まれ、それに続いて第２差込ソケットの溝内に突入係合できる少なくとも１個の側辺部によって拘束されると有利である。このようにすると第１差込ソケットと管が適切に接続されない場合は、止めばねを用いて第１差込ソケットを閉鎖若しくはロックすることが特に単純、確実及び廉価に確保されている。
【００１９】
これと関連して、管を第１差込ソケットの固定側に首尾よく固定する間又は固定直後に閉鎖解除装置の作動が管の固定装置によって行われると、特に有利である。このようにすると特に高い安定性が達成される。なぜなら閉鎖解除装置の作動若しくは第１差込ソケットのロック解除が、直接管を第１差込ソケットの固定側に固定する過程で、その他の中間ステップ若しくは追加ステップなしに行われる。この場合、管の固定装置は好ましくは複数のプロセスパラメータにより、固定過程が首尾よく実施できたか否かをチェックし、管の固定過程が首尾よく完了した場合は第１差込ソケットの止めばねのロックを完全に自動的に解除する。管の固定装置は第１差込ソケットの止めばねのロック解除にも使用されるので、追加コストは同様に少なく抑えられる。
【００２０】
本発明を理解しやすくするために、以下に本発明を図面に基づいて詳しく説明する。
【００２１】
それぞれ著しく簡略化した模式的な表現で示す。
【図面の簡単な説明】
【００２２】
【図１】第１差込ソケットの止めばねが閉じた閉鎖位置にある差込継手の分離した両差込ソケットの斜視図である。
【図２】図１に示す第１差込ソケットを差込側から見た図である。
【図３】図１に示す差込継手の側面図である。
【図４】図３に示す差込継手の線ＩＶ−ＩＶによる断面図である。
【図５】第１差込ソケットで止めばねが閉じた閉鎖位置にある、図１に示す差込継手の両差込ソケットが互いに可能な限り深く差し込まれた図４と同様の断面図である。
【図６】第１差込ソケットで止めばねが閉じて、閉鎖解除装置によってそこに保持された閉鎖解除位置にある、図１に示す差込継手の互いに完全に差し込まれた両差込ソケットの斜視図である。
【図７】図６に示す差込継手の側面図である。
【図８】図７に示す差込継手の線ＶＩＩＩ−ＶＩＩＩによる断面図である。
【図９】第１差込ソケットで止めばねが開いた位置にある、第１差込ソケットを差込側から見た図である。
【図１０】第１差込ソケットで止めばねが閉じた閉鎖位置にある差込継手の別の実施形態の分離した両差込ソケットの斜視図である。
【図１１】図１０に示す第１差込ソケットを差込側から見た図である。
【図１２】図１０に示す差込継手の側面図である。
【図１３】図１２に示す差込継手の線ＸＩＩＩ−ＸＩＩＩによる断面図である。
【図１４】第１差込ソケットで止めばねが閉じた閉鎖位置にある、図１０に示す差込継手の別の実施形態の両差込ソケットが互いに可能な限り深く差し込まれた図１３と同様の断面図である。
【図１５】第１差込ソケットで止めばねが閉じて、閉鎖解除装置によってそこに保持された閉鎖解除位置にある、図１０に示す差込継手の別の実施形態の互いに完全に差し込まれた両差込ソケットの斜視図である。
【図１６】図１５に示す差込継手の側面図である。
【図１７】図１６に示す差込継手の線ＸＶＩＩ−ＸＶＩＩによる断面図である。
【発明を実施するための形態】
【００２３】
最初に確認しておくと、記載された種々異なる実施形態において同じ部材には同じ参照符号若しくは同じ部材名称を付け、説明全体に含まれている開示内容は同じ参照符号若しくは同じ部材名称を付けた同じ部材に準用できる。また、説明の中で選択された位置の指示、例えば上方、下方、側方等は、直接説明及び図示された図に関係しており、位置が変化した場合は新しい位置に準用する。
【００２４】
図１〜図９は、加圧された液体又は気体用の管を接続するための差込継手１の第１の実施形態を様々な方向から見た図と種々異なる状態で示す。
【００２５】
差込継手１は差込側３と軸方向反対側にある固定側４とを有する第１差込ソケット２を備えており、第１差込ソケット２はその固定側４で好適には可撓管と密に接続されている。このために、第１差込ソケット２の固定側４における内壁５と外壁６との間に−例えば図４参照−図示されない可撓管の端部セクションが配置されていて、図示されない固定装置によって内壁６は円周方向で全周にわたり外方に可撓管若しくは外壁６に向って変形若しくは圧縮され、その結果として第１差込ソケット２と可撓管の端部との間に密封接続が形成されている。内壁５と外壁６は、好ましくは特に鋼板から一体的に成形された金属部材によって形成されている。しかしまた特に外壁６に対しては他の材料、例えばプラスチックも採用できる。
【００２６】
更に、差込継手１は、差込側８と軸方向反対側にある固定側９とを有する第２差込ソケット７を備えており、第２差込ソケット７はその差込側８で第１差込ソケット２内にその差込側３を通して差し込み可能である。この差込過程を容易にするために、第２差込ソケット７の差込側８で第２差込ソケット７の外側１０に斜面１１が形成されている。第２差込ソケット７はその固定側９を通して好適には図示されない剛性管の端部に固定されているか、又は加圧された液体又は気体が導入され、若しくは装置から加圧された液体又は気体が導出される装置と接続されている。
【００２７】
ここで注記すると、差込継手１の図示された実施例では、専ら円形の断面形状の差込ソケット２、７が図示されているが、上記のことは方形、特に長方形又は正方形の断面形状の差込継手１若しくは．差込ソケット２、７にも同様に適用される。
【００２８】
第１差込ソケット２に差し込まれた第２差込ソケット７を第１差込ソケット２に拘束して、差し込まれた第２差込ソケット７が第１差込ソケット２から外れるのを妨げることができるようにするために、実質的に第１差込ソケット２の外側１２に図示された実施例に従い２個の側辺部１４、１５を有する止めばね１３が固定されている。例えば図１に見られる止めばね１３の閉じた位置において両側辺部１４、１５はそれぞれ第１差込ソケット２の円周上の部分区域で環状に延びるスリット１６、１７を通して第１差込ソケット２の内部領域１８に突入し、２個の保持セクション１９、２０を形成する。第２差込ソケット７の外側１０には円周方向に環状に延びる溝２１が形成されており、第１差込ソケット２に第２差込ソケット７が完全に差し込まれると、溝２１は第１差込ソケット２のスリット１６、１７のある面に位置し、そこで閉じた止めばね１３の保持セクション１９、２０はスリット１６、１７を貫通して第２差込ソケット７の溝２１内に突入係合でき、それによって第１差込ソケット２に差し込まれた第２差込ソケット７が外れることが妨げられている。
【００２９】
第２差込ソケット７の差込側８と溝２１との間で溝２１の直前に円周方向に環状に延びる、止めばね１３の両保持セクション１９、２０に対する衝止斜面２２が形成されている。この衝止斜面２２は特に溝２１の側壁を形成し、衝止斜面２２は第２差込ソケット７を第１差込ソケット２に差し込んだときに閉じた止めばね１３の両保持セクション１９、２０を半径方向に互いに離れる方向に動かし若しくは互いに離れる方向に押圧し、その結果として第２差込ソケット７を第１差込ソケット２に差し込むことが可能である。しかしながら衝止斜面２２は必ずしも必要ない。閉じた止めばね１３の保持セクション１９、２０を互いに離れる方向に押圧する機能は、例えば差込継手１の寸法若しくは直径を相応に調整すれば第２差込ソケット７の差込側８に設けた斜面１１が引き受けることもできる。
【００３０】
図９には止めばね１３が第１差込ソケット２における閉じた位置から第２差込ソケット２における開いた位置に動かされた後の状態が示されている。図示された実施例に従い止めばね１３の各々の側辺部１４、１５は下方の開いた端部に、屈曲した端部セクション２３、２４を有している。これらの屈曲した端部セクション２３、２４は、第２差込ソケット２における保持装置２５、２６内に突入係止して止めばね１３を開いた位置に保持する。止めばね１３は閉じた位置若しくは作動位置から開いた位置若しくは非作動位置に、又は開いた位置から閉じた位置に、好ましくは半径方向で第１差込ソケット２に対して位置合わせされた軌道に沿って可動である。本質的なことは、止めばね１３の側辺部１４、１５が止めばね１３の開いた位置で互いに離れる方向に動かされたことであり、その結果として側辺部１４、１５はもはやスリット１６、１７を通って第１差込ソケット２の内部領域１８に突入しておらず、したがって止めばね１３の保持セクション１９、２０は第２差込ソケット７が差し込まれたときは第２差込ソケット７の外側１０に設けた溝２１内に突入係合していない。
【００３１】
図１で最も良く認識できるように、図示された実施形態において第１差込ソケット１２の両スリット１６、１７の各々はその両端部領域２７、２７’、２８、２８’に、第１差込ソケット２の差込側３と反対に向けられた、止めばね１３の各側辺部１４、１５を受容するための凹み部２９、２９’、３０、３０’若しくは拡張部を有しており、各々の凹み部の延長は対応するスリット１６、１７の長手方向延長の半分より短い。凹み部２９、２９’、３０、３０’自体は図４で最も良く認識できる。
【００３２】
これにより側辺部１４、１５、ひいては止めばね１３は、各側辺部１４、１５の位置が各スリット１６、１７内に同列になるように配置され、したがって側辺部１４、１５の対応する保持セクション１９、２０が半径方向外方に動くことが許容されている閉鎖解除位置から、第１差込ソケット２を基準とした軸方向運動に沿って、各側辺部１４、１５が対応する両凹み部２９、２９’、３０、３０’内に配置され、したがって各側辺部１４、１５の対応する保持セクション１９、２０が外方に動くことがさまたブロックされている閉鎖位置に可動である。止めばね１３の閉鎖位置において側辺部１４、１５は凹み部２９、２９’、３０、３０’内に位置決めされているので、第１差込ソケットの固定側４に向って各スリット１６、１７のすぐ横にある第１差込ソケット２の突出したセクション３１、３２は、各保持セクション１９、２０が半径方向外方に動くことをブロックする。
【００３３】
実質的に第１差込ソケット２の外側１２には更に、スリット１６、１７の長手方向延長に沿って回転可能なリング３４を含む閉鎖解除装置３３がカフス状に配置されている。閉鎖解除装置３３のリング３４は第１差込ソケット２の外側１２でスリット１６、１７の上側にあり、スリット１６、１７の各凹み部２９、２９’、３０、３０’の領域で軸方向第１差込ソケット２の固定側４に向って見て軸方向で深さが異なるそれぞれ２個のセクション３５、３６、３５’、３６’、３７、３８、３７’、３８’を有する。この場合、それぞれ２個の隣り合うセクション３５、３６、３５’、３６’、３７、３８、３７’、３８’の間には、それらの間に延びる斜面３９、３９’、４０、４０’が形成されている。リング３４を可能な両回転方向のいずれか一方に回転させることにより、深い方のセクション３５、３５’、３７、３７’を各凹み部２９、２９’、３０、３０’上に動かすことができ、その結果として各凹み部２９、２９’、３０、３０’が露出して閉鎖解除装置３３が作動停止されるか、又は深くない方のセクション３６、３６’、３８、３８’が各凹み部２９、２９’、３０、３０’上に動かされ、その結果として各凹み部２９、２９’、３０、３０’が覆われて閉鎖解除装置３３が作動される。リング３４の深さが異なるセクション３５、３５’、３６、３６’、３７、３７’、３８、３８’と、それぞれそれらの間に延びる斜面３９、３９’、４０、４０’は、図３及び図７で最も良く見て取れる。リング３４を含む選択的に作動可能な閉鎖解除装置３３は、次のように形成されている。即ち、作動停止された閉鎖解除装置３３は、凹み部２９、２９’、３０、３０’はリング３４の深い方のセクション３５、３５’、３７、３７’によって露出しているので、止めばね１３が閉鎖位置に位置決めすることを許容し、作動された閉鎖解除装置３３は、凹み部２９、２９’、３０、３０’はリング３４の深くない方のセクション３６、３６’、３８、３８’によって覆われているので、止めばね１３を閉鎖解除位置に保持する。
【００３４】
差込継手１の図示された実施形態に従い、第１差込ソケット２の突出したセクション３１、３２は、第１差込ソケット２の固定側４に向ってスリット１６、１７のすぐ横にあって、２層の薄板部材によって形成されている。これにより閉鎖位置において止めばね１３の側辺部１４、１５が半径方向外方に動くことを妨げるセクション３１、３２は、高められた強度若しくは安定性を有する。
【００３５】
差込継手１を使用するための特に目的に適った方法に従い、第１差込ソケット２を使用する前に、即ち特に第１差込ソケット２の固定側４に管を固定する前にも、場合によっては止めばね１３が既に閉じた位置にない場合も、第１差込ソケット２の止めばね１３が閉じられ、閉鎖解除装置３３が既に作動停止されていなければ作動停止される。特に目的に適ったやり方に従い、止めばね１３の閉鎖若しくは閉鎖解除装置３３の作動停止が既に第１差込ソケット２の製造過程で実施若しくは確保される。
【００３６】
閉鎖解除装置３３の作動停止により止めばね１３を閉鎖位置に位置決めすることが許容され、それゆえ第２差込ソケット７を差し込もうとするときは止めばね１３は既に閉鎖位置に位置決めされているか、又は止めばね１３は第２差込ソケット７の衝止斜面２２によって閉鎖位置に動かされ、そうすることによって止めばね１３の保持セクション１９、２０は第１差込ソケット２の突出したセクション３１、３２により第１差込ソケット２に対して相対的に半径方向外方に動くことが妨げられ、第２差込ソケット７を第１差込ソケット２内に完全に差し込むことが不可能にされる。図１〜図５に図示された差込継手１の状態において閉鎖解除装置３３は止めばね１３が閉鎖位置に位置決めされることを許容し、止めばね１３もこの閉鎖位置にある。図５の断面図に示されているように、止めばね１３の閉鎖時に第２差込ソケット７は第１差込ソケット２に所定の深さまで差し込むことができ、閉鎖された止めばね１３若しくはそれらの妨げられた保持セクション１９、２０が第２差込ソケット７をそれ以上若しくは完全に差し込むことを妨げる。
【００３７】
このとき固定装置を用いて管を第１差込ソケット２の固定側４に密封状態で取り付け、第１差込ソケット２の固定側４の領域で内壁５を圧縮し、圧縮過程が首尾よく実施できたことが特に固定装置によって完全に自動的に確認されたら、止めばね１３の閉鎖解除装置３３が作動され、それによって止めばね１３は閉鎖解除位置に動かされ若しくはそこに保持される。止めばね１３があらかじめ閉鎖位置にあり、リング３４を回転させて閉鎖解除装置３３が作動されると、リング３４の深くない方のセクション３６、３６’、３８、３８’がスリット１６、１７の凹み部２９、２９’、３０、３０’上に移動し、それによって凹み部２９、２９’、３０、３０’が覆われ、側辺部１４、１５’がそれぞれ深い方のセクション３５、３５’、３７、３７’と深くない方のセクション３６、３６’、３８、３８’との間に延びている斜面３９、３９’、４０、４０’に沿って凹み部２９、２９’、３０、３０’から脱出される。これにより止めばね１３の側辺部１４、１５若しくは保持セクション１９、２０が凹み部２９、２９’、３０、３０’から押し出されてスリット１６、１７を有する面に入り、スリット１６、１７の領域にある第１差込ソケット２の突出したセクション３１、３２はもはや止めばね１３の保持セクション１９、２０が半径方向外方に向けられて動くことを妨げない。
【００３８】
この理由で、差し込もうと第２差込ソケットの衝止斜面２２は止めばね１３の保持セクション１９、２０を第１差込ソケット２に対して相対的に半径方向外方に動かし若しくは押圧し、第２差込ソケット７は第１差込ソケット２に完全に差し込まれることができる。第２差込ソケット７を第１差込ソケットに完全に差し込んだ後、互いに離れる方向に押圧されて緊張した止めばね１３はその最初の位置に戻り、その保持セクション１９、２０で第２差込ソケット７の溝２１内に突入係合し、それによって第１差込ソケット２が拘束される。この差込継手１が接続された状態は、特に図８で良く見て取れる。図６〜図９には差込継手１が、閉鎖解除装置３３が作動されており、そのため止めばね１３のロックがある程度「緩和」された状態で示されている。
【００３９】
固定装置によって管が第１差込ソケット２の固定側４に首尾よく固定される間又はその直後に、やはり固定装置によって閉鎖解除装置３３の作動が行われると、特に目的に適っている。このことは、固定装置が閉鎖解除装置３３のリング３４を回動させ、その結果として閉鎖解除装置３３が作動停止状態から作動状態に交代することによって特に簡単且つ迅速に行われる。
【００４０】
特に目的に適った実施形態に従い、第２差込ソケット７は外側１０に、図１に示されているように少なくとも１個の、好ましくは２個の軸方向に位置合わせされた突出部４１、４２を備えている。これと対応して閉鎖解除装置３３の回転可能なリング３４はそれぞれ１個の第１溝セクション４３、４４を有している。この第１溝セクション４３、４４は閉鎖解除装置３３の作動状態で、第１差込ソケット２のそれぞれ１個の第２溝セクション４５、４６と半径方向で同列になるように位置合わせされており、各第１溝セクション４３、４４はリング３４の回動により閉鎖解除装置３３が作動停止されると第１差込ソケット２の外周に沿って各第２溝セクション４５、４６から離間して位置決めされている。
【００４１】
これにより閉鎖解除装置３３の作動時にはそれぞれ１個の第１溝セクション４３、４４及びこれと半径方向で同列になるように配置された第２溝セクション４５、４６は、図６及び図９で最も良く見て取れるように、第１差込ソケット２の差込側３にそれぞれ１個の端面開口部４９、５０を有する、それぞれ１個の軸方向に位置合わせされた溝４７、４８を形成し、第２差込ソケット７の軸方向に位置合わせされた突出部４１、４２は、第１差込ソケット２の差込側３にある軸方向に位置合わせされた対応する溝４７、４８に差し込まれ、それに続いて第２差込ソケット７が第１差込ソケット２に差し込まれることができる。
【００４２】
閉鎖解除装置３３が作動停止され、したがってリング３４が回動すると、リング３４内の各第１溝セクション４３、４４は第１差込ソケット２内の各第２溝セクション４５、４６と半径方向で同列になるように位置合わせされており、各突出部４１、４２を受容するための各溝４７、４８はブロックされているか、若しくは全く存在せず、それにより止めばね１３のブロックと並んで第２差込ソケット７を第１差込ソケット２に差し込むことが妨げられる。
【００４３】
その上、第２差込ソケット７における突出部４１、４２は第１差込ソケット２における回動防止の働きもする。
【００４４】
差込継手１の別の目的に適った実施形態に従い、閉鎖解除装置３３若しくはリング３４は保持突起５１を備えており、この保持突起５１は閉鎖解除装置３３が作動停止されると第１保持溝５２内に突入係合し、閉鎖解除装置３３が作動されると第２保持溝５３内に突入係合し、保持突起５１は機械的な力を加えることにより各保持溝５２、５３から脱出可能若しくは曲げ可能であり、閉鎖解除装置３３のリング３４と共にそれぞれ特定の保持溝５２、５３上に可動である。保持突起５１は１個の保持溝５２、５３上に同列になるように配置されており、保持突起５１にはもはや機械的な力が加えられないので、保持突起５１はその予圧に基づき各保持溝５２、５３内に進入して、閉鎖解除装置３３のリング３４をその都度選択されている現在の作動状態又は作動停止状態に拘束する。
【００４５】
特に目的に適った実施形態に従い、第１差込ソケット２の内壁５の溝内に半径方向内方に張り出した密封部材５４が配置されており、この密封部材５４は図８に見て取れるように、第２差込ソケット７が差し込まれた状態で第２差込ソケット７の外側１０に当接しており、両差込ソケット２、７を互いに密封するか、若しくは差込継手１を密封する。
【００４６】
図１０〜図１７には差込継手１の別の実施形態が示されており、先行の図１〜図９におけるようにここでも同じ部材には同じ参照符号若しくは部材名称が使用される。不要な繰り返しを避けるために、先行の図１〜図９に関する詳細な説明の参照を求め、若しくは準拠する。図１０〜図１７に示されている差込継手１の別の実施例が図１〜図９に示された上記の実施例と基本的に異なるのは、差込継手１のコンポーネントの寸法である。しかしながら本質的なことは、この差込継手の別の実施形態１に従い閉鎖解除装置３３の作動停止時には閉鎖解除装置３３のリング３４の深い方のセクション３５、３７により、スリット１６、１７当りそれぞれ１個の凹み部２９、３０のみ到達できることである。
【００４７】
このことは、図１０〜図１７の実施形態に示されているように、スリット１６、１７のこれらの凹み部２９、３０の領域においてのみ閉鎖解除装置３３のリング３４が深さの異なるセクション３５、３６、３７、３８を有するか、又は代替的にスリット１６、１７が端部領域２７、２８にそれぞれ正確に１個の凹み部２９、３０のみを有することによって行われる。
【００４８】
この場合、両閉鎖解除装置３３の作動停止時に到達可能な両凹み部２９、３０は、第１差込ソケット２の垂直の長手方向中心面−図１０参照−に沿ってスリット１６、１７の各端部領域２７、２８に鏡像状に配置されていることも必要であり、その結果として閉鎖解除装置の作動停止時には止めばね１３若しくはその側辺部１４、１５は第１差込ソケット２の垂直断面に対して斜めに位置決めされることができ、図１２に見て取れるように、止めばね１３の保持セクション１９、２０は半径方向外方に動くことがブロックされている。
【００４９】
念のため最後に指摘すると、差込継手の構造を理解しやすくするために、差込継手若しくはその構成部材は一部縮尺通りではなく及び／又は拡大及び／又は縮小して示されている。
【００５０】
実施例は差込継手の可能な実施態様を示しており、この場で注記すると本発明は具体的に図示された差込継手の実施態様に制限されておらず、むしろ個々の実施態様を相互に様々に組み合わせることも可能であり、この変形可能性は本発明による技術的行為に関する教示に基づき当該分野で活動する当業者の能力に属している。図示及び説明された実施態様の個々の詳細の組合せによって可能な考えられるすべての変形実施例も保護範囲に含まれている。更に、図示及び説明された種々異なる実施例に基づく個々の特徴又は特徴の組合せも、それ自体独自の発明的な又は本発明による解決をなすことができる。
【００５１】
独自の発明的解決の基礎をなす課題は、上記の説明から読み取ることができる。
【００５２】
特に図１〜図９及び図１０〜図１７に示された構成は、独自の本発明による解決をなすことできる。これに関する本発明による課題及び解決は、これらの図の詳細な説明から読み取れる。
【符号の説明】
【００５３】
１    差込継手
２    第１差込ソケット
３    差込側
４    固定側
５    内壁
６    外壁
７    第２差込ソケット
８    差込側
９    固定側
１０    外側
１１    斜面
１２    外側
１３    止めばね
１４    側辺部
１５    側辺部
１６    スリット
１７    スリット
１８    内部領域
１９    保持セクション
２０    保持セクション
２１    溝
２２    衝止斜面
２３    端部セクション
２４    端部セクション
２５    保持装置
２６    保持装置
２７    端部領域
２７’    端部領域
２８    端部領域
２８’    端部領域
２９    凹み部
２９’    凹み部
３０    凹み部
３０’    凹み部
３１    セクション
３２    セクション
３３    閉鎖解除装置
３４    リング
３５    セクション
３５’    セクション
３６    セクション
３６’    セクション
３７    セクション
３７’    セクション
３８    セクション
３８’    セクション
３９    斜面
３９’    斜面
４０    斜面
４０’    斜面
４１    突起部
４２    突起部
４３    第１溝セクション
４４    第１溝セクション
４５    第２溝セクション
４６    第２溝セクション
４７    溝
４８    溝
４９    端面開口部
５０    端面開口部
５１    保持突起
５２    第１保持溝
５３    第２保持溝
５４    密封部材
【図１】
2015521260.tif 000003
【図２】
2015521260.tif 000004
【図３】
2015521260.tif 000005
【図４】
2015521260.tif 000006
【図５】
2015521260.tif 000007
【図６】
2015521260.tif 000008
【図７】
2015521260.tif 000009
【図８】
2015521260.tif 000010
【図９】
2015521260.tif 000011
【図１０】
2015521260.tif 000012
【図１１】
2015521260.tif 000013
【図１２】
2015521260.tif 000014
【図１３】
2015521260.tif 000015
【図１４】
2015521260.tif 000016
【図１５】
2015521260.tif 000017
【図１６】
2015521260.tif 000018
【図１７】
2015521260.tif 000019
【国際調査報告】
2015521260.tif 000020
2015521260.tif 000021
2015521260.tif 000022
2015521260.tif 000023